(57)【要約】      （修正有）【課題】記録再生装置であるドライブをライブラリ装置の筐体に複数台搭載する場合に、記録再生部の安定状態を保持すると共に、回路部などの効率的な冷却方法を提供する。【解決手段】ディスク３に記録再生を行う記録再生部と、記録再生部を制御する信号処理部を有するドライブ５と、ドライブ及びディスクを収納する収納庫４を備えるライブラリ装置１において、ドライブ周囲に風洞が設置されると共に、信号処理部と記録再生部が分離して配置され、信号処理部の上流側に流入口が、下流側に流出口が形成され、ドライブの流入口、流出口が設置される面とディスクを記録再生部に挿入する挿脱口が設置される面を異ならせることにより、記録再生部の安定化と信号処理部の冷却を両立させる。【選択図】図５
2016225006.tif 000002
【特許請求の範囲】
【請求項１】
挿脱口から挿入されるディスクの記録再生を行う記録再生部と、上記記録再生部を制御する信号処理部より構成されるドライブと、上記ドライブ及びディスクを収納するディスク収納庫を備えるライブラリ装置において、上記ドライブ周囲に風洞が設置されると共に、上記信号処理部と上記記録再生部が分離して配置され、上記信号処理部の上流側に冷却風流入口が、下流側に流出口が形成され、上記ドライブの上記流入口、流出口が設置される面と、上記ディスクを記録再生部に挿入する挿脱口が設置される面が、異なることを特徴とするライブラリ装置。
【請求項２】
請求項１記載のライブラリ装置において、上記ドライブの下流側風洞の外気と接する部分に、排気手段を備えることを特徴とするライブラリ装置。
【請求項３】
請求項１記載のライブラリ装置において、上記信号処理部と上記記録再生部が、断熱層で分離されることを特徴とするライブラリ装置。 
【請求項４】
請求項１記載のライブラリ装置において上記風洞の周囲に、空気を風洞内に導くための分離壁および隔壁が設置されることを特徴とするライブラリ装置。
【請求項５】
請求項１記載のライブラリ装置において、上記ドライブが複数台搭載されることを特徴とするライブラリ装置。
【請求項６】
請求項５記載のライブラリ装置において、上記各風洞の上流側が、上記ライブラリ装置の単一の吸入口に接続されていることを特徴とするライブラリ装置。
【請求項７】
請求項５記載のライブラリ装置において、上記各風洞の上流側が、上記ライブラリ装置の個別の吸入口に接続されていることを特徴とするライブラリ装置。
【請求項８】
挿脱口から挿入されるディスクの記録再生を行う記録再生部と、上記記録再生部を制御する信号処理部より構成されるドライブと、上記ドライブ及びディスクを収納するディスク収納庫を備えるライブラリ装置の冷却方法であって、上記ドライブ周囲に風洞が設置されると共に、上記信号処理部と上記記録再生部が分離して配置され、上記信号処理部の上流側に冷却風流入口が、下流側に流出口が形成され、上記挿脱口とは異なる面に設置された冷却風流入口から上記信号処理部に冷却風を導き、上記挿脱口とは異なる面に設置された冷却風流出口から上記冷却風を排出するライブラリ装置の冷却方法。 
【発明の詳細な説明】
【技術分野】
【０００１】
本発明は、ライブラリ装置及びライブラリ装置の冷却方法に関し、特に、ディスクに記録再生を行うドライブ及びディスクを収納する収納庫を備えたものに好適なライブラリ装置及びライブラリ装置の冷却方法に関する。
【背景技術】
【０００２】
ライブラリ装置は、収納してある記録媒体であるディスクに、搭載するドライブ内で情報を記録再生する記録再生装置である。ライブラリ装置は大容量のデータの記録及び長期間の保管を行うアーカイブシステムの構成装置として、ディスクの大容量化や信頼性の高さから急速に普及が進みつつある。
【０００３】
このような、例えば、多数のディスクを収納する収納庫とドライブと呼ばれる記録再生装置を例えば複数台搭載するライブラリ装置において、内部を強制空冷する放熱構造が必要である。
【０００４】
放熱構造として、一般的にファンを用いた強制空冷方式が採用されている。上記のドライブは多数の光学系の構成部品（以下光学部品という）や回路素子で構成されており、特に回路素子の発熱によりドライブの温度上昇が生じやすい。ドライブを搭載する筐体内の温度上昇が生じると、構成部品の寿命が短くなり、故障が生じやすい。また、動作不良が起こりやすいなど、装置としての信頼性の確保が難しくなる。従って、筐体内に例えば複数台搭載したドライブは、外部から冷却空気を取り入れて冷やすことが必要となる。
【０００５】
外部から冷却空気を取り入れて冷却する例としては、装置による発熱をファン等の強制空冷方式により外部に排熱する構造として、例えば、特許文献１に開示されているように、ラックマウント型の冷却構造がある。上記の冷却構造は、筐体内の各領域にそれぞれ個別の冷却通路を構成する構造となっている。
【先行技術文献】
【特許文献】
【０００６】
【特許文献１】特開２００９−５３９７８号公報
【発明の概要】
【発明が解決しようとする課題】
【０００７】
上記特許文献記載の従来技術では、筐体内に設置した冷却通路は、接続用基板を迂回して冷却する冷却通路が開示されている。しかしながら、内部にディスクを挿入する、または取り出す等のディスク挿脱口を有するドライブを搭載した際の冷却構造についての問題点が配慮されていない。すなわち、冷却性能の維持のため、ディスク挿脱時に空気流を妨げず、ドライブ内部の光学部品等に空気流入が影響しにくい構造についての配慮がされていない。
【０００８】
このことをさらに説明する。ライブラリ装置は、ラック状の筐体の内部にディスクを収納する収納庫、記録再生を行うドライブ及びディスクを搬送するディスク搬送装置が内蔵される。ここで、ドライブには、データの記録再生を行うためのレーザ光源やカメラ等のデータ取得装置、ディスクを回転させるスピンドルモータ等の光学部品と、上記の信号処理を行う信号処理基板や回路素子等で構成されている。
【０００９】
上記の光学部品は、温度変化や空気流速の変化に敏感であり、空気流が光学部品の構成部分に直接流れると、変動が光学部品に振動や外乱として伝わり、データの取得に悪影響を及ぼす。さらに、上記のドライブは、ディスクをドライブに挿入する挿脱口があり、この挿脱口からの空気が流入すると、やはり、データの取得に悪影響を及ぼす。このように、上記の従来技術では、ディスクを搬送するようなライブラリ装置に適用することを想定すると、ドライブ内部に空気流が侵入した場合に、記録再生性能が低下する恐れを潜在的に有している。
【００１０】
本発明の目的は、ディスク挿脱口を有するドライブを、筐体内に例えば複数台搭載した場合にも、ディスク挿脱時に空気流を妨げず、かつ、ドライブ内部の光学部品等に空気が流入しにくいライブラリ装置及びライブラリ装置の冷却方法を提供することにある。
【課題を解決するための手段】
【００１１】
上記目的を達成するために本発明は、挿脱口から挿入されるディスクの記録再生を行う記録再生部と、上記記録再生部を制御する信号処理部より構成されるドライブと、上記ドライブ及びディスクを収納するディスク収納庫を備えるライブラリ装置において、上記ドライブ周囲に風洞が設置されると共に、上記信号処理部と上記記録再生部が分離して配置され、上記信号処理部の上流側に冷却風流入口が、下流側に流出口が形成され、上記ドライブの上記流入口、流出口が設置される面と、上記ディスクを記録再生部に挿入する挿脱口が設置される面が、異なるように構成されるものである。 
さらに本発明は、上記信号処理部と上記記録再生部が、断熱層で分離されるものである。
【００１２】
さらに本発明は、上記ドライブの下流側風洞の外気と接する部分に、排気手段を備えるものである。
【００１３】
さらに本発明は、上記風洞の周囲に、空気を風洞内に導くための分離壁および隔壁が設置されることを特徴とするものである。
【００１４】
さらに本発明は、上記ドライブがライブラリ装置に複数台搭載されるものである。
【００１５】
さらに本発明は、上記各風洞の上流側が、上記ライブラリ装置の単一の吸入口に接続されるものである。
【００１６】
さらに本発明は、上記各風洞の上流側が、上記ライブラリ装置の個別の吸入口に接続されるものである。
【発明の効果】
【００１７】
本発明によれば、空気温度や流速の変化に敏感な記録再生部を有するドライブを、ライブラリ装置内に、例えば、複数台搭載した場合において、ドライブ周囲に風洞を設けて、発熱部品を多数有する信号処理部と、記録再生を行う記録再生部とを分離して、記録再生部には空気が流入しにくく、信号処理部を空気流で効率的に冷却する空気流路構造を実現することにより、信頼性の高い記録再生性能を得ることができる。
【図面の簡単な説明】
【００１８】
【図１】参考例のライブラリ装置の外観を説明する斜視図である。
【図２】参考例のライブラリ装置の構造を説明する斜視図である。
【図３】本発明に係る実施例のドライブを説明する図である。
【図４】本発明に係る第１の実施例のライブラリ装置を説明する図である。
【図５】本発明に係る第１の実施例のライブラリ装置の構造を説明する斜視図である。
【図６】本発明に係る第１の実施例のライブラリ装置の構造を説明する図である。
【図７】本発明に係る第１の実施例の風洞を説明する図である。
【図８】本発明に係る第２の実施例のライブラリ装置を説明する図である。
【図９】本発明に係る第２の実施例のライブラリ装置の構造を説明する斜視図である。
【図１０】本発明に係る第２の実施例のライブラリ装置を説明する図である。
【図１１】本発明に係る第２の実施例の風洞を説明する図である。
【発明を実施するための形態】
【００１９】
以下、実施例を図面にしたがって説明する。
【実施例１】
【００２０】
まず、本実施の特徴を明確にするために、対比のための参考例を説明する。この参考例のライブラリ装置１について図１〜図２を用いて説明する。各図において、同一番号は同一部品を示している。  
図１はライブラリ装置１を前面から見た斜視図を示している。図１（ａ）は、ライブラリ装置１の外観図であり、図１（ｂ）はライブラリ装置１の上部を開放した斜視図を示している。
【００２１】
ライブラリ装置１は、ラック状の筐体２の内部にディスク３を収納する収納庫４、記録再生を行うドライブ５、及び、ディスクを搬送するディスク搬送装置６が内蔵されている。また、前面にはディスク３を収納庫４に挿入するディスク挿入口７、及び、内部を冷却するための冷却空気を取り入れる吸入口８ａが設置されている。
【００２２】
図２（ａ）は、図１に示すライブラリ装置１を背面側から見た斜視図であり、図２（ｂ）は、筐体２の側面を透明にした場合の内部構成を示している。
【００２３】
図２に示すように、ライブラリ装置１は、ラック状の筐体２の内部にディスク３を多数収納した収納庫４と記録再生装置であるドライブ５、搬送装置６及びライブラリ装置１の操作及び動作を制御する制御回路部９（以下、制御部９という）が配置されている。収納庫４は、例えば、側方にディスク挿脱口５ａを配置した箱状の筐体で形成される。また、ドライブ５は、ディスク３に記録及び再生を行う記録再生装置であり、内部には記録再生に必要な光学部品が多数配置されている。
【００２４】
図１及び図２に示すライブラリ装置１は、ディスク３を複数枚分同時に記録再生するように構成されている。そのため、ドライブ５も内部に複数台設置されている。
【００２５】
図２（ｂ）に示すように、例えば、ドライブ５はライブラリ装置１内に多段に複数台配置されている。図１に示す収納庫４から取り出されたディスク３は、図示しない取り出し機構によって搬送装置６内に挿入され、その後、搬送装置６によってドライブ５に搬送される。搬送されたディスク３は、ドライブ５のディスク挿脱口５ａから挿入され、ドライブ５内部でデータの記録再生が行われる。さらに各ドライブ５は制御部９により個別に制御されており、複数台同時に記録再生可能となっている。
【００２６】
また、図２（ａ）（ｂ）に示すように、筐体２の背面には、内部の空気を排出する排気用ファン１０ａが設置されており、前面の吸気口８ａから空気を吸入し、ライブラリ装置１内部の熱量を空気と共に排出して、温度上昇を低減するようになっている。
【００２７】
以下にライブラリ装置１についての記録再生動作を図１及び図２を用いて説明する。
【００２８】
収納庫４に収納された所望のディスク３にデータの記録再生等の動作を行う信号が、図示しないコンピュータ等の外部装置から、制御部９に入力される。すると、上記入力信号により図１の搬送装置６は、所定の動作開始位置から搬送用レール６ａに沿って所望のディスク３の取り出し位置まで移動する。その後、図示しない取り出し機構によりディスク３が搬送装置６内に押し出され、挿入される。搬送装置６に挿入されたディスク３は、搬送装置６により搬送用レール６ａに添って所定のドライブ５方向に移動する。搬送装置６は所定のドライブ５のディスク挿脱口５ａの前で停止して、ドライブ５にディスク３をディスク挿脱口５ａから挿入する。挿入された上記ディスク３はドライブ５においてデータの記録再生動作が行われ、上記データは制御部９により図示しないコンピュータ等の外部装置との間で相互通信が行われる。
【００２９】
上記の通信作業が終了し、ディスク３の記録再生動作が終了した後に、上記のディスク３はディスク挿脱口５ａから取り出されて、搬送装置６に挿入される。その後、搬送装置６は、搬送用レール６ａに添ってディスク３の事前の収納位置まで移動し、収納庫４の所定の収納位置にディスク３を挿入する。ディスク３の挿入後に、搬送装置６は所定の動作開始位置へ移動し、停止して動作を終了する。なお、搬送装置６は搬送用レール６ａに沿って上下、左右へ移動可能な構成となっている。
【００３０】
上記の一連の動作は、複数のディスク３のデータの記録再生を行う場合には、所望のディスク３の枚数分だけ繰り返し行われる。  
次に本発明を適用したライブラリ装置１について、図面を基に説明する。図１及び図２と同じ構造及び動作のものは基本的には同じ符号が付されている。
【００３１】
図３は本発明のライブラリ装置１に搭載するドライブ５の詳細図を示している。
【００３２】
図３（ａ）は本発明を適用するドライブ５の斜視図であり、（ｂ）はドライブ５の縦断面図を示している。図３（ａ）に示すように、ドライブ５にはディスク挿入口５ａが設置されており、ディスク３はディスク挿脱口５ａからドライブ５に挿入される。
【００３３】
また、図３（ｂ）は図３（ａ）において、一点鎖線で示した中央の縦断面を示している。左側が前面、右側が背面である。図３（ｂ）において、ドライブ５の下側は、ディスク３に記録再生を行う記録再生部５ｂであり、上側は、記録再生における信号処理を行う信号処理部５ｃを示している。
【００３４】
記録再生部５ｂの内部には、データの記録再生に必要なレーザ光源やカメラ等の光学部品が搭載されている。また、上記の信号処理部５ｃには、信号処理を行う回路が実装されており、電源を入れて、記録再生部５ｂ内で記録再生動作が行われることにより、上記の回路が発熱し、信号処理部５ｃの内部の空気温度が上昇する。
【００３５】
さらに詳しくドライブ５の構造について説明する。図３（ｂ）に示す下部の記録再生部５ｂには、レーザ光源５ｄやデータ処理部５ｅ、ディスク３を回転させるスピンドルモータ５ｆ等の構成部品が設置されており、ディスク３を装填して、記録再生データがデータ処理部５ｅにより取得される。
【００３６】
一方、ドライブ５の上部には、信号処理部５ｃが記録再生部５ｂと分離して形成されており、信号処理部５ｃ内部には、データの信号処理に必要な複数の回路素子５ｇを搭載した回路基板５ｈが複数枚搭載されている。信号処理部５ｃはＳ／Ｎ比の低下を防止する観点から、記録再生部５ｂに近接配置されることが望ましい。
【００３７】
さらに、信号処理部５ｃは、記録再生部５ｂよりも一般的に消費電力が高いことが多いため、信号処理部５ｃの発熱が記録再生部５ｂに伝熱して悪影響を及ぼさないように、記録再生部５ｂと信号処理部５ｃの間には、断熱シートや空気層で形成される断熱層１５が設置されている。また、上記の信号処理部５ｃと記録再生部５ｂの配置は、上下に形成されているが、近接して分離、断熱されていれば、上記の配置に限るものではない。
【００３８】
また、信号処理部５ｃには、前面に空気を通す流入口２０ａが、背面に流出口２０ｂが形成されており、信号処理部５ｃ内部には空気が通過する空気流路が形成されている。矢印は空気の流れを示している。空気が信号処理部５ｃ内を通過することにより、内部の回路素子５ｇ等が冷却されるようになっている。上記のドライブ５の特徴としては、信号処理部５ｃ内に空気を通す前面及び背面の流入口２０ａ、流出口２０ｂが、ディスク挿脱口５ａと異なる面に設置されていることである。上記の構成とすることにより、ディスク３挿脱時に空気流が妨げられることがない。
【００３９】
以上述べたように、信号処理を行う回路素子５ｇを搭載した回路基板５ｈ等を、記録再生部５ｂ内の光学部品と分離し、信号処理部５ｃ内に集約することにより、信号処理部５ｃを効率的に冷却することが可能となる。さらに、上記の分離構成とすることにより、発熱量の高い信号処理部５ｃのみに空気を流して冷却し、温度や空気の流れに敏感な記録再生部５ｂ内部は空気を流さず、静穏を保持すると共に温度上昇も低減でき、ドライブ５のデータの取得安定性を確保することが可能となる。
【００４０】
次に、上記のドライブ５をライブラリ装置１に搭載する際の、実施例１の空気流路構造を説明する。
【００４１】
図４は、本発明のライブラリ装置１を前面側から見た斜視図である。また、図５は、筐体２の側面を透明にしたライブラリ装置１の（ａ）前面から見た斜視図、（ｂ）背面から見た斜視図である。さらに、図６はライブラリ装置１の（ａ）前面図、（ｂ）背面図、（ｃ）（ａ）において一点鎖線で示す断面図、（ｄ）（ｃ）におけるドライブ５を搭載した風洞３０ａの拡大図を示している。
【００４２】
図４に示すように、ライブラリ装置１は、参考例と同様に、前面にはディスク３を収納庫４に挿入するディスク挿入口７、及び、内部を冷却するための冷却空気を取り入れる吸入口８ｂが設置されている。吸入口８ｂには、ライブラリ装置１への塵埃の侵入を防止するため、図示しないフィルタ等が設置されている。
【００４３】
図５、図６より、本発明のライブラリ装置１における、ドライブ５を搭載した空気流路構造を説明する。ドライブ５は図３に示すように、記録再生部５ｂと信号処理を行う信号処理部５ｃに分離されている。
【００４４】
図５のライブラリ装置１において、ドライブ５は図７に示す風洞３０ａに周囲を囲まれた状態で、ライブラリ装置１に搭載されている。
【００４５】
図７は、図３に示すドライブ５をライブラリ装置１に搭載するために作成した風洞３０ａを示している。
【００４６】
図５(ａ)、（ｂ）に示すように、ドライブ５は風洞３０ａ内部に搭載され、ライブラリ装置１内に設置される。ドライブ５（図５(ａ)、（ｂ）では３つのドライブ５）は、分離壁（側面側）５ａ及び分離壁（上面側）５ｂに囲まれる。ドライブ５は、筐体２背面の排気用ファン１０ｂで、前面の吸入口８ｂから冷却空気を吸入して冷却されるようになっている。上記の空気流路構造は、図７の風洞３０ａ内にドライブ５が設置されることが重要である。
【００４７】
すなわち、ドライブ５を風洞３０ａの内部に設置することにより、風洞３０ａ以外の部分に空気が流れない（逃げない）ように集中させることができる。さらに、ドライブ５と風洞３０ａの間に５ｍｍ程度の間隙を形成し、風洞３０ａの背面に設置した排気用ファン１０ｂで風洞３０ａ内の空気を吸引し、ドライブ５の筐体を外側から集中的に風を流して冷却することにより、ドライブ５下部の記録再生部５ｂも、内部には風を流さずに冷却することが可能となる。例えば、信号処理部５ｃでは流速３ｍ/sec程度であり、記録再生部５ｂでは流速０．５ｍ/sec以下の静穏状態であるように構成されることが望ましい。
【００４８】
ライブラリ装置１についての記録再生動作では、搬送装置６に挿入されたディスク３は、搬送装置６により搬送用レール６ａに添って所定のドライブ５方向に移動し、搬送装置６は所定のドライブ５のディスク挿脱口５ａの前で停止する。ここで、４０ａ（上面側）および４０ｂ（側面側）は、風洞３０ａ内に空気を導く分離壁である。分離壁（側面側）４０ｂ及び風洞３０ａには、各々、ディスク挿脱口５ａの対向する部分に図示しない挿入孔が形成されており、ディスク３はこの分離壁（側面側）４０ｂの挿入孔及び風洞３０ａの挿入孔を通ってディスク挿脱口５ａから挿入される。ディスク３の記録再生動作が終了した後に、上記のディスク３はディスク挿脱口５ａから取り出されて、搬送装置６に挿入されるときも同様である。
【００４９】
さらに詳しくライブラリ装置１の空気流路構造について説明する。図６はライブラリ装置１の筐体２の側面を透明にした（ａ）前面図、（ｂ）背面図、（ｃ）（ａ）において一点鎖線で示す断面図、（ｄ）（ｃ）におけるドライブ５を搭載した風洞３０ａの拡大図を示している。
【００５０】
図６（ａ）前面図に示すように、ドライブ５は風洞３０ａ内に設置されて、ライブラリ装置１内に搭載される。各々３つのドライブ５の下側は隔壁４１が設けられている。隔壁４１も分離壁４０ａ、４０ｂと同様に、風洞３０ａに空気を導くために設置されている。前面には吸入口８ｂがあり、図６（ｂ）背面図に示すように、各風洞３０ａ背面に設置した排気用ファン１０ｂで空気が風洞３０ａ内に吸引される。
【００５１】
図６（ｃ）は、図６（ａ）において一点鎖線で示す断面図を示している。矢印は、風洞３０ａ内のドライブ５に流れる空気流を示している。図６（ｄ）は、図６（ｃ）の拡大図である。
【００５２】
図６（ｄ）に示すように、ドライブ５は、風洞３０ａ内に設置され、前面の吸入口８ｂから吸入された空気は、風洞３０ａ背面に設置された排気用ファン１０ｂで吸引されて、各ドライブ５を冷却し、外部に排気される。前面の吸入口８ｂから吸入された空気は、図６（ｄ）の断面に示すように、搭載されたすべてのドライブ５の風洞３０ａに供給される。
【００５３】
上記に述べたように、風洞３０ａ内の空気流は、信号処理部５ｃのみを通過して冷却し、記録再生部５ｂには流入しない。従って、記録再生部５ｂ内の静穏は保持される。
【００５４】
前面の吸入口８ｂから吸入された図８（ｄ）の矢印の流入空気は、信号処理部５ｃの流入口２０ａから流入し、流出口２０ｂから流出する。流入空気は、信号処理部５ｃ内の図３に示した回路素子５ｇ、回路基板５ｈ等を冷却する。一方、記録再生部５ｂは、温度及び空気流速に非常に敏感であり、極力外乱を排除しないと、記録再生性能に悪影響を与えることが懸念される。従って、記録再生部５ｂ内部には、空気流は流れない構成となっている。
【００５５】
特に、信号処理部５ｃの流入口２０ａと流出口２０ｂが、ディスク挿脱口５ａと異なる面に設置されていることから、風洞３０ａ内の空気流の流れを妨げることなく、ディスクの挿脱が可能となる。さらに、上記の空気流の方向と、ディスク挿脱口５ａの挿入方向が異なることから、空気が記録再生部５ｂ内に侵入しにくくなり、記録再生部５ｂ内の静穏が、ディスク挿脱時も保持される。
【００５６】
また、風洞３０ａとドライブ５の間には隙間が存在するため、ドライブ５の周囲に空気流が集中して流れることにより、ドライブ５周囲の空気流の流速が増加し、ドライブ５の筐体全体が外部から冷やされて冷却される効果が生じ、記録再生部５ｂの温度上昇も低減される。特に、ドライブ５の筐体を、熱伝導率の良いアルミ合金等で作成した場合の効果は大きい。また、記録再生部５ｂ内部の構成部品の熱は、外部の筐体や放熱板等に、ヒートパイプ等で伝熱して逃がすことも可能である。
【００５７】
また、記録再生部５ｂと信号処理部５ｃ間に、図３に示すように断熱層１５を設置することにより、信号処理部５ｃで生じた熱が記録再生部５ｂに伝熱することを防止でき、記録再生部５ｂで行われる記録再生に悪影響を及ぼすことを防止できる。また、断熱層１５を空気層とすることも可能である。
【００５８】
上記のように、各ドライブ５を風洞３０ａ内に設置し、周囲を排気用ファン１０ｂで集中して冷やすと共に、下部の記録再生部５ｂに空気が流れないように構成し、上部の信号処理部５ｃのみに空気を流入させる空気流路構造とすることにより、記録再生部５ｂ内部の空気状態を安定させると共に、信号処理部５ｃのみを集中して冷却することができ、記録再生部５ｂのデータ取得の安定性と信号処理部５ｃの効率的な冷却の一石二鳥の効果を得ることができる。
【００５９】
さらに、排気用ファン１０ｂの回転数を制御することにより、各ドライブ５の稼動状態に応じた温度管理を行うことも可能となる。
【００６０】
また、図示しないが、他の実施例として、各風洞３０ａの流入口に開口率を変化させることができるシャッターを設置し、シャッターの開口率を、ドライブ５の稼動状態に応じて制御可能とすることでも同様の温度管理の効果を得ることができる。
【実施例２】
【００６１】
図８は第２の実施例のライブラリ装置１の前面から見た斜視図である。実施例１と同様に、前面にはディスク３を収納庫４に挿入するディスク挿入口７、及び、冷却空気を取り入れる吸入口８ｃが複数設置されている。
【００６２】
次に、図９及び図１０により、ドライブ５を風洞３０ｂ内に設置した第２の実施例の空気流路構造について述べる。
【００６３】
図９は、ライブラリ装置１の筐体２の側面を透明にした場合の （ａ）前面から見た斜視図（ｂ）背面から見た斜視図である。さらに、図１０はライブラリ装置１の（ａ）前面図、（ｂ）背面図、（ｃ）（ａ）において一点鎖線で示す断面図、（ｄ）（ｃ）におけるドライブ５を搭載した風洞３０ｂの拡大図を示している。
【００６４】
図９（ａ）前面図、（ｂ）背面図に示すように、ドライブ５は風洞３０ｂ内に配置されて、ライブラリ装置１内に搭載される。前面には吸入口８ｃがあり、各風洞３０ｂ背面に設置した排気用ファン１０ｂで空気が風洞３０ｂ内に吸引される。
【００６５】
実施例１と異なる点は、風洞３０ｂは、図９及び図１０に示すように、筐体２の前面まで延伸されており、筐体２の前面の吸入口８ｃが各風洞３０ｂに直接接続されていて、各ドライブ５は、完全に分離した個別の風洞３０ｂの排気用ファン１０ｂで、別々に冷却されることである。
【００６６】
図１１は、第２の実施例におけるドライブ５を設置する風洞３０ｂを示している。第２の実施例における風洞３０ｂは、ライブラリ装置１の側面と同じ長さの風洞である。
【００６７】
さらに詳しく第２の実施例の空気流路構造について説明する。
【００６８】
図１０は、ライブラリ装置１の筐体２の側面を透明にした（ａ）前面図、（ｂ）背面図、（ｃ）（ａ）において一点鎖線で示す断面図、（ｄ）（ｃ）におけるドライブ５を搭載した風洞３０ｂの拡大図を示している。矢印は流入空気である。
【００６９】
図１０（ａ）前面図に示すように、ドライブ５は風洞３０ｂ内に設置されて、ライブラリ装置１内に搭載される。前面には個別の吸入口８ｃがあり、図１０（ｂ）背面図に示すように、各風洞３０ｂ背面に設置した排気用ファン１０ｂで空気が風洞３０ｂ内に吸引される。
【００７０】
流入空気は、図１０（ｃ）及び（ｄ）に矢印で示すように、各ドライブ５の前面の専用の吸入口８ｃから排気用ファン１０ｂにより吸引される。さらに、上記の流入空気は、信号処理部５ｃの流入口２０ａから流入し、流出口２０ｂから流出する。流入空気は、信号処理部５ｃ内の図３に示す回路素子５ｇ、回路基板５ｈ等を冷却する。一方、記録再生部５ｂは、空気流路が形成されておらず、内部に空気流は流れない構造となっている。
【００７１】
また、実施例２では、空気流が前面の吸入口８ｃから流入し、矢印の空気の流れで示すように、ストレートに信号処理部５ｃを通過して、排気用ファン１０ｂに吸引される流路構造であり、実施例１に比較して流路抵抗が低下するため、排気用ファン１０ｂの風量が多くなり、上昇温度を実施例１よりも低減できる等の効果も期待できる。
【００７２】
風洞３０ｂの前面に吸入口８ｃ、背面に排気用ファン１０ｂを設置することにより、風洞３０ｂを各ドライブ５の専用風洞とすることにより、冷却効率を上げることができる。
【００７３】
また、信号処理部５ｃの流入口２０ａと流出口２０ｂが、ディスク挿脱口５ａと異なる面に設置されていることから、実施例１と同様に、風洞３０ｂ内の空気流の流れを妨げることなく、ディスクの挿脱が可能となる。さらに、上記の空気流の方向と、ディスク挿脱口５ａの挿入方向が異なることから、空気が記録再生部５ｂ内に侵入しにくくなり、記録再生部５ｂ内の静穏が、ディスク挿脱時も保持される。
【００７４】
以上述べたように、各ドライブ５を記録再生部５ｂと信号処理部５ｃに分離し、ドライブ５のディスク挿脱口５ａと異なる面に形成した信号処理部５ｃの流入口２０ａ、流出口２０ｂを設置して、信号処理部５ｃのみに空気を通過させる構成とすることにより、記録再生部５ｂ内部の空気状態を安定させると共に、信号処理部５ｃのみを集中して冷却することができ、記録再生データ取得の安定性と信号処理部５ｃの効率的な冷却の一石二鳥の効果を得ることができる。
【００７５】
また、記録再生部５ｂと信号処理部５ｃの間に断熱層１５を設置することにより、信号処理部５ｃの熱が記録再生部５ｂに悪影響を及ぼすことも防止できる。
【００７６】
さらに、ドライブ５毎に風洞３０を設けて、各ドライブ５に空気を集中させて冷却する流路構造を設置すると共に、各ドライブ５に専用の排気用ファン１０を設けることにより、各ドライブ５の稼動状態や発熱量に応じた個別の温度管理を行うことが可能となる。
【００７７】
本発明によれば、空気温度や流速の変化に敏感な記録再生部５ｂを有するドライブ５を、ライブラリ装置１に複数台搭載した場合において、発熱部品を多数有する信号処理部５ｃを記録再生部５ｂと断熱層１５で分離し、信号処理部５ｃを空気流で効率的に冷却することにより、記録再生部５ｂの安定性と信号処理部５ｃの効率的な冷却を両立でき、信頼性の高い記録再生性能を持つライブラリ装置１を提供できる。さらに、ドライブ５の周囲を風洞３０で囲い、排気用ファン１０で冷却する空気流路構造を設置することで、ライブラリ装置１に搭載した場合でも、記録再生部５ｂ内部の上昇温度を低減し、さらに安定したデータ取得が可能となる。
【００７８】
以上述べたように、上記のドライブ５の構成及びライブラリ装置１の流路構造により、高いデータ取得安定性と信頼性を備えたライブラリ装置１を提供することが可能となる。
【符号の説明】
【００７９】
１…ディスクライブラリ装置、２…筐体、３…ディスク、４…収納庫、５…ドライブ、５ｂ…記録再生部、５ｃ…信号処理部、６…ディスク搬送装置、７…ディスク挿入口、
８ａ、８ｂ、８ｃ…吸入口、９…制御回路部、１０ａ、１０ｂ…排気用ファン、
２０ａ…流入口、２０ｂ…流出口、３０ａ、３０ｂ…風洞、４０ａ、４０ｂ…分離壁、
４１…隔壁、
【図１】
2016225006.tif 000003
【図２】
2016225006.tif 000004
【図３】
2016225006.tif 000005
【図４】
2016225006.tif 000006
【図５】
2016225006.tif 000007
【図６】
2016225006.tif 000008
【図７】
2016225006.tif 000009
【図８】
2016225006.tif 000010
【図９】
2016225006.tif 000011
【図１０】
2016225006.tif 000012
【図１１】
2016225006.tif 000013